(57)【要約】      （修正有）【課題】偏心輪の回転の安定性を向上させ、作動騒音及び生産コストを低減させるダイヤフラムポンプを提供する。【解決手段】ベース１１とベース１１に設けられるモーター１２とを含む駆動ユニット１０と、チャンバーを構成するようにベース１１に接続されるポンプ体２０と、チャンバー内に内蔵され、モーター１２のモーターシャフト１２１に接続される偏心輪３１を含むリンクユニット３０と、偏心輪３１又はモーターシャフト１２１に別体に設けられ、偏心輪３１及びモーターシャフト１２１と同期回転する光電遮蔽板４０と、ベース１１に設けられ、光電遮蔽板４０と協力してモーターシャフト１２１の回転速度を検出し、検出信号をモーターコントローラーに送信し、モーターシャフト１２１の回転速度を調節するための光電センサ５０と、を含む。【選択図】図１
0003212624.tif 000002
【実用新案登録請求の範囲】
【請求項１】
ベースと前記ベースに設けられるモーターとを含む駆動ユニットと、
チャンバーを構成するように前記ベースに接続されるポンプ体と、
前記チャンバーに内蔵され、前記モーターのモーターシャフトに接続される偏心輪を含むリンクユニットと、
前記偏心輪又は前記モーターシャフトに別体に設けられ、前記偏心輪及び前記モーターシャフトと同期回転する光電遮蔽板と、
前記ベースに設けられ、前記光電遮蔽板と協力して前記モーターシャフトの回転速度を検出し、検出信号をモーターコントローラーに送信し、前記モーターコントローラーは、検出信号に基づいて前記モーターのモーターシャフトの回転速度を調節する光電センサと、
を含む、
ことを特徴とするダイヤフラムポンプ。
【請求項２】
前記光電遮蔽板は着脱可能に前記偏心輪に設けられている、
ことを特徴とする請求項１に記載のダイヤフラムポンプ。
【請求項３】
前記光電遮蔽板は前記偏心輪の径方向に沿って外へ延伸している、
ことを特徴とする請求項２に記載のダイヤフラムポンプ。
【請求項４】
前記偏心輪に第１の連結部材が設けられ、前記光電遮蔽板に第２の連結部材が設けられ、前記第１の連結部材と前記第２の連結部材とがお互いに結合して前記光電遮蔽板を前記偏心輪に接続させる、
ことを特徴とする請求項３に記載のダイヤフラムポンプ。
【請求項５】
前記第１の連結部材は位置決め柱であり、前記第２の連結部材は位置決め穴である、
ことを特徴とする請求項４に記載のダイヤフラムポンプ。
【請求項６】
前記光電遮蔽板は、
前記偏心輪の上面に貼設される位置決め部と、
前記位置決め部に接続され、且つ径方向の外側方向へ延伸する遮蔽部と、
を含む、
ことを特徴とする請求項３に記載のダイヤフラムポンプ。
【請求項７】
前記遮蔽部は扇形状である、
ことを特徴とする請求項６に記載のダイヤフラムポンプ。
【請求項８】
前記光電遮蔽板に取付けられるカウンターウェイト部材を更に含む、
ことを特徴とする請求項１に記載のダイヤフラムポンプ。
【請求項９】
前記カウンターウェイト部材はねじであり、前記光電遮蔽板に前記ねじに結合するねじ穴が設けられている、
ことを特徴とする請求項８に記載のダイヤフラムポンプ。
【請求項１０】
プリント基板を更に含み、前記プリント基板は前記ベースに設けられ、前記プリント基板は前記光電センサに接続され、前記プリント基板にリード線コネクターが設けられ、リード線は、前記リード線コネクターにより前記プリント基板に電気的に接続され、前記リード線と前記リード線コネクターとのうち一つにリード線プラグが設けられ、前記リード線と前記リード線コネクターとのうちもう一つにリード線ジャックが設けられ、前記リード線プラグは前記リード線ジャック内に挿入されている、
ことを特徴とする請求項１に記載のダイヤフラムポンプ。
【請求項１１】
前記リード線コネクターはリード線ジャックを備え、前記リード線はリード線プラグを備え、前記リード線は前記リード線プラグにより前記リード線ジャック内に挿入されている、
ことを特徴とする請求項１０に記載のダイヤフラムポンプ。
【考案の詳細な説明】
【技術分野】
【０００１】
本実用新案はポンプ技術分野に関し、特にダイヤフラムポンプに関する。
【背景技術】
【０００２】
関連技術において、ダイヤフラムポンプにモーターシャフトの回転速度を検出するための光電センサと光電遮蔽板とが設けられ、ここで、光電遮蔽板は偏心輪又はモーターシャフトに一体的に形成される。この設置方式は、偏心輪及びモーターシャフトの構造が複雑すぎであり、加工製造し難く、また、高速回転する過程において、かかった力が均一的でないため、偏心輪が震えるという現象が現れる。
【考案の概要】
【考案が解決しようとする課題】
【０００３】
本実用新案の目的は、少なくとも一つの上記技術的課題をある程度で解決することである。
【０００４】
そのため、本実用新案は、生産コストが低く、運転が安定であり、且つ騒音が低いダイヤフラムポンプを提供する。
【課題を解決するための手段】
【０００５】
本実用新案の実施例に係るダイヤフラムポンプは、ベースと前記ベースに設けられるモーターとを含む駆動ユニットと、チャンバーを構成するように前記ベースに接続されるポンプ体と、前記チャンバー内に内蔵され、前記モーターのモーターシャフトに接続される偏心輪を含むリンクユニットと、前記偏心輪に別体に設けられ、前記偏心輪及び前記モーターシャフトと同期回転する光電遮蔽板と、前記ベースに設けられ、前記光電遮蔽板と協力して前記モーターシャフトの回転速度を検出し、検出信号をモーターコントローラーに送信し、前記モーターコントローラーは検出信号に基づいて前記モーターのモーターシャフトの回転速度を調節する光電センサと、を含む。
【０００６】
本実用新案の実施例に係るダイヤフラムポンプは、光電遮蔽板を前記偏心輪又はモーターシャフトに別体に設けることにより、偏心輪の回転する過程の安定性を向上させ、ダイヤフラムポンプの作動騒音及び生産コストを低減させる。
【０００７】
また、本実用新案の実施例に係るダイヤフラムポンプは、以下のような付加的な技術的特徴を更に有してもよい。
【０００８】
本実用新案の一つの実施例によると、前記光電遮蔽板は着脱可能に前記偏心輪に設けられている。
【０００９】
本実用新案の一つの実施例によると、前記光電遮蔽板は前記偏心輪の径方向に沿って外へ延伸している。
【００１０】
本実用新案の一つの実施例によると、前記偏心輪に第１の連結部材が設けられ、前記光電遮蔽板に第２の連結部材が設けられ、前記第１の連結部材と前記第２の連結部材とがお互いに結合して前記光電遮蔽板を前記偏心輪に接続させる。
【００１１】
本実用新案の一つの実施例によると、前記第１の連結部材は位置決め柱であり、前記第２の連結部材は位置決め穴である。
【００１２】
本実用新案の一つの実施例によると、前記光電遮蔽板は、前記偏心輪の上面に貼設される位置決め部と、前記位置決め部に接続され、且つ径方向の外側方向へ延伸する遮蔽部と、を含む。
【００１３】
本実用新案の一つの実施例によると、ダイヤフラムポンプは、前記光電遮蔽板に取付けられるカウンターウェイト部材を更に含む。
【００１４】
本実用新案の一つの実施例によると、前記カウンターウェイト部材はねじであり、前記光電遮蔽板に前記ねじに結合するねじ穴が設けられている。
【００１５】
本実用新案の一つの実施例によると、ダイヤフラムポンプは、プリント基板を更に含み、前記プリント基板は前記ベースに設けられ、前記プリント基板は前記光電センサに接続され、前記プリント基板にリード線コネクターが設けられ、リード線は、前記リード線コネクターにより前記プリント基板に電気的に接続され、前記リード線と前記リード線コネクターとのうち一つにリード線プラグが設けられ、前記リード線と前記リード線コネクターとのうちもう一つにリード線ジャックが設けられ、前記リード線プラグは前記リード線ジャックに挿入されている。
【００１６】
本実用新案の一つの実施例によると、前記リード線コネクターはリード線ジャックを備え、前記リード線はリード線プラグを備え、前記リード線は前記リード線プラグにより前記リード線ジャック内に挿入されている。
【考案の効果】
【００１７】
本実用新案の付加的な特徴と利点は、一部が以下の説明の中に示され、一部が以下の説明により明らかになり、又は本実用新案の実践により理解される。
【図面の簡単な説明】
【００１８】
本実用新案の上記及び／又は付加的な特徴と利点は、下記図面に合わせて実施例を説明することにより、明らかになり、理解され易くなる。
【図１】本実用新案の一つの実施例に係るダイヤフラムポンプの分解図である。
【図２】本実用新案の一つの実施例に係るダイヤフラムポンプの一部断面図である。
【図３】本実用新案の一つの実施例に係る光電センサと、プリント基板と、リード線コネクターとの間の装着図である。
【図４】本実用新案の一つの実施例に係るリード線の斜視図である。
【図５】本実用新案の一つの実施例に係る偏心輪と、光電遮蔽板と、カウンターウェイト部材との斜視図である。
【符号の説明】
【００１９】
１００  ダイヤフラムポンプ
１０    駆動ユニット
１１    ベース
１２    モーター
１２１  モーターシャフト
２０    ポンプ体
２１    チャンバー
２２    上蓋
２３    弁座
２４    シリンダ体
３０    リンクユニット
３１    偏心輪
３１１  第１の連結部材
３１２  偏心穴
３２    リンク
４０    光電遮蔽板
４１    第２の連結部材
４２    ねじ穴
５０    光電センサ
６０    カウンターウェイト部材
７０    プリント基板
７１    リード線コネクター
７１１  リード線ジャック
８０    リード線
８１    リード線プラグ
９０    ピストンユニット
【考案を実施するための形態】
【００２０】
以下に、本実用新案の実施例を詳細に説明する。前記実施例の例が図面に示されるが、同一又は類似する符号は、常に同一又は類似する部品、或いは同一又は類似する機能を有する部品を表す。以下に、図面を参照しながら説明される実施例は例示的なものであり、本実用新案を解釈することに用いられ、本実用新案を限定するものと理解してはいけない。
【００２１】
以下に、図１−図５を参照しながら本実用新案の実施例に係るダイヤフラムポンプ１００を説明する。該ダイヤフラムポンプ１００は、コーヒーメーカー又はジューサーに適用され、該ダイヤフラムポンプ１００によりコーヒーメーカー又はジューサーに水を圧送することができる。更に、該ダイヤフラムポンプ１００は、血圧計、自動車の座席、又はマッサージチェアに適用され、該ダイヤフラムポンプ１００により血圧計、自動車の座席、又はマッサージチェアに空気を入れる又は空気を抜くことができる。なお、上記説明は例示的なものに過ぎなく、本実用新案の保護範囲を限定するものではない。本実用新案の実施例に係るダイヤフラムポンプ１００は、医療設備及び家庭用電気製品技術分野に広く適用することができる。
【００２２】
本実用新案の実施例に係るダイヤフラムポンプ１００は、大体、ポンプ体２０と、駆動ユニット１０と、光電遮蔽板４０と、光電センサ５０と、を含む。ここで、駆動ユニット１０は、ベース１１とベース１１に設けられるモーター１２とを含んでもよい。
【００２３】
具体的には、図１及び図２に示すように、ポンプ体２０は順次接続された上蓋２２と、弁座２３と、シリンダ体２４と、を含んでもよい。ここで、上蓋２２は、流入口を有する流入管と流出口を有する流出管とを有し、上蓋２２の底部が上に向かって凹んで第１のノッチを形成し、第１のノッチは、上環状仕切板によって上外ノッチと上内ノッチとに分けられる。弁座２３の上面が下に向かって凹んで第１のノッチに対応する第２のノッチを形成し、第２のノッチは、上環状仕切板に対応する下環状仕切板によって下外ノッチと下内ノッチとに分けられる。上蓋２２は弁座２３にシールするように取り付けられ、上環状仕切板と下環状仕切板とによって外側に位置する流入室と内側に位置する流出室とが仕切られ、ここで、流入室と流入口とが連通され、流出室と流出口とが連通される。
【００２４】
弁座２３に複数組の上流出孔と複数組の下流入孔とが設けられ、弁座２３の下面の各組の下流入孔に対応する位置に下流入孔を開閉するための傘状弁が設けられ、弁座２３の上面の上流出孔に対応する位置に上流出孔を開閉するためのダイヤフラムユニットが設けられている。
【００２５】
シリンダ体２４はそれぞれ弁座２３とベース１１とに接続され、シリンダ体２４に複数の取付穴が形成されている。流体を圧送するためのピストンユニット９０はシリンダ体２４に取り付けられ、ピストンユニット９０は、複数のカプセルと複数のカプセルを接続させるための平板とを有し、各カプセルはいずれも取付穴内に入る。各カプセルはいずれもカプセル室と取付柱とを含み、カプセル室の上端が開放されており、平板と各カプセル室の上端周縁とが接続されて一体的に形成され、カプセル室の下端は取付柱の上端に接続される。各カプセル室は取付穴を挿通し、平板によりシリンダ体２４の上面に貼設され、ピストンユニット９０を弁座２３とベース１１との間にしっかりと挟むように弁座２３は平板に押し付けて設けられている。
【００２６】
リンクユニット３０はそれぞれモーター１２のモーターシャフト１２１と取付柱とに接続される。このようにすると、モーター１２が回転する場合、リンクユニット３０はカプセルが上下に揺動するように駆動することにより、カプセル室を圧縮及び拡大し、ポンプの流体を圧送する過程を実現する。
【００２７】
上蓋２２と弁座２３との間、弁座２３とシリンダ体２４との間、及びシリンダ体２４とベース１１との間がお互いに係合された後、複数のクランプにより一体的に接続されてもよい。ここで、ポンプ体２０は方形フレーム又は円柱形フレームであってもよい。
【００２８】
本実用新案の一部の実施例において、図２に示すように、リンクユニット３０はチャンバー２１内に内蔵され、リンクユニット３０は、偏心輪３１とリンク３２とを含む。偏心輪３１の軸方向に傾斜した偏心穴が設けられ、偏心輪３１はモーター１２のモーターシャフト１２１に接続されている。
【００２９】
光電遮蔽板４０は偏心輪３１又はモーターシャフト１２１に別体に設けられ、光電遮蔽板４０は偏心輪３１及びモーターシャフト１２１と同期回転する。つまり、光電遮蔽板４０は偏心輪３１又はモーターシャフト１２１に対して独立する部品である。これにより、偏心輪３１又はモーターシャフト１２１の生産製造工法を簡素化し、偏心輪３１の震える現象を防止することができる。
【００３０】
ここで、光電遮蔽板４０は、需要に応じて偏心輪３１の上面、又はモーターシャフト１２１の下面、又はモーターシャフト１２１の上面と偏心輪３１の下面との間に設けられてもよい。
【００３１】
好ましい実施例において、光電遮蔽板４０は着脱可能に偏心輪３１に設けられ、光電遮蔽板４０は偏心輪３１と同期回転してもよい。ここで、光電遮蔽板４０に偏心輪３１の偏心穴３１２に対応する傾斜穴が設けられ、スチールピンの一端が傾斜穴と偏心穴３１２とに挿入し、スチールピンの他端がリンク３２に接続される。
【００３２】
光電センサ５０はベース１１に設けられ、光電センサ５０が光電遮蔽板４０と協力してモーターシャフト１２１の回転速度を検出し、検出信号をモーターコントローラーに送信し、モーターコントローラーは、検出信号に基づいてモーター１２のモーターシャフト１２１の回転速度を調節する。
【００３３】
図１及び図２に示すように、光電センサ５０はチャンバー２１内に設けられ、光電センサ５０に光電遮蔽板４０の回転板に沿って貫通する貫通溝が形成され、光電遮蔽板４０が回転する時に、該貫通溝により、モーターシャフト１２１の回転速度を検出し、検出信号をモーターコントローラーに送信し、モーターコントローラーにモーターシャフト１２１の回転速度を正確に制御させる。
【００３４】
本実用新案の実施例に係るダイヤフラムポンプ１００は、光電遮蔽板４０を前記偏心輪３１又はモーターシャフト１２１に別体に設けることにより、偏心輪３１の回転する過程の安定性が高められるとともに、ダイヤフラムポンプ１００の作動騒音及び生産コストが低減される。
【００３５】
好ましい実施例において、図２に示すように、光電遮蔽板４０は偏心輪３１の径方向に沿って外へ延伸している。光電センサ５０はベース１１の内壁面に設けられ、貫通溝の開口は内側に向かっている。このようにすると、偏心輪３１が回転する過程において、光電遮蔽板４０は貫通溝内に挿入して遮光の役割を果たす。
【００３６】
本実用新案の一部の実施例において、偏心輪３１に第１の連結部材３１１が設けられ、光電遮蔽板４０に第２の連結部材４１が設けられ、第１の連結部材３１１と第２の連結部材４１とがお互いに結合して光電遮蔽板４０を偏心輪３１に接続させる。具体的には、第１の連結部材３１１は位置決め穴であり、第２の連結部材４１は位置決め柱である。これにより、光電遮蔽板４０と偏心輪３１との間の結合の安定性を高めるとともに、光電遮蔽板４０と偏心輪３１との装着効率を向上させることができる。
【００３７】
好ましい実施例において、図１及び図２に示すように、光電遮蔽板４０は位置決め部と遮蔽部とを含む。位置決め部は偏心輪３１の上面に貼設され、遮蔽部は位置決め部に接続されて径方向の外側方向へ延伸する。ここで、遮蔽部は扇形状である。これにより、光電センサ５０の貫通溝内の光線が遮蔽部によって効果的に遮蔽されるのを確保し、光電センサ５０にモーターシャフト１２１の回転速度を正確に検出させることができる。
【００３８】
本実用新案のもう一部の実施例において、ダイヤフラムポンプ１００は、カウンターウェイト部材６０を更に含む。図２及び図５に示すように、カウンターウェイト部材６０は光電遮蔽板４０に組立られている。光電遮蔽板４０にカウンターウェイト部材６０を設けることにより、偏心輪３１の回転する過程の安定性を更に向上させ、ダイヤフラムポンプ１００の作動騒音を低減させることができる。
【００３９】
更に、好ましい実施例において、カウンターウェイト部材６０はねじであり、光電遮蔽板４０にねじに結合するねじ穴４２が設けられている。これにより、カウンターウェイト部材６０を光電遮蔽板４０に組立ることを便利にすることができる。なお、ねじの重量は、モーターシャフト１２１の回転速度の大きさにより設定されてもよく、そうすると、偏心輪３１が安定的に回転することが確保される。なお、勿論、上記実施例は例示的なものに過ぎなく、本実用新案の保護範囲を限定するものではない。例えば、カウンターウェイト部材６０は鋼球であってもよい。
【００４０】
本実用新案の更なる一部の実施例において、ダイヤフラムポンプ１００は、プリント基板７０を更に含む。プリント基板７０はベース１１に設けられ、プリント基板７０は光電センサ５０に接続され、プリント基板７０にリード線コネクター７１が設けられ、リード線８０はリード線コネクター７１によりプリント基板７０に電気的に接続され、リード線８０とリード線コネクター７１とのうち一つにリード線プラグ８１が設けられ、リード線８０とリード線コネクター７１とのうちもう一つにリード線ジャック７１１が設けられ、リード線プラグ８１はリード線ジャック７１１内に挿入される。
【００４１】
ここで、リード線プラグ８１はリード線８０に設けられるとともに、リード線ジャック７１１はリード線コネクター７１に設けられてもよい。リード線のリード線プラグ８１をリード線コネクター７１のリード線ジャック７１１内に挿入して、リード線８０とリード線コネクター７１との間の接続を完成させることにより、リード線８０とプリント基板７０との間の電気的な接続が実現され、リード線８０は光電センサ５０に電流供給及び信号送信などをすることができ、ダイヤフラムポンプ１００の通常作動が確保される。補修又はその他の理由でリード線８０を取り外す必要がある場合に、リード線８０をリード線コネクター７１から直接取り外すことができる。従って、プリント基板７０にリード線コネクター７１を設けることにより、リード線８０とプリント基板７０との間の接続及び取り外しが便利になる上に、コストも低い。
【００４２】
勿論、リード線プラグはリード線コネクターに設けられてもよい。この場合、リード線ジャックはリード線に設けられ、リード線のリード線ジャックをリード線コネクターのリード線プラグに挿入させることにより、同様に、リード線とプリント基板との間の接続及び取り外しが便利になる上に、ダイヤフラムポンプ１００のコストが低減される。
【００４３】
本実用新案の実施例に係るダイヤフラムポンプ１００は、その流量を精確に制御することができる。また、プリント基板７０にリード線コネクター７１が設けられ、且つリード線８０とリード線コネクター７１とのうち一つにおけるリード線プラグ８１をリード線８０とリード線コネクター７１とのうちもう一つにおけるリード線ジャック７１１内に挿入される。ことにより、リード線８０とプリント基板７０との間の接続及び取り外しが便利になる上に、コストも低い。
【００４４】
本実用新案の説明において、「上」、「下」、「底」、「内」、「外」などの用語が示す方位又は位置関係は、図面に示す方位又は位置関係に基づき、本実用新案を便利に又は簡潔に説明するために使用されるものであり、指定された装置又は部品が特定の方位にあり、特定の方位において構造され操作されると指示又は暗示するものではないので、本実用新案を限定するものと理解してはいけない。
【００４５】
本実用新案において、別途の明確な規定及び限定がない限り、第１の特徴が第２の特徴の「上」又は「下」にあることは、第１の特徴と第２の特徴とが直接的に接触することを含んでもよいし、第１の特徴と第２の特徴とが直接的に接触することではなくそれらの間の別の特徴を介して接触することを含んでもよい。また、第１の特徴が第２の特徴の「上」、「上方」又は「上面」にあることは、第１の特徴が第２の特徴の真上及び斜め上にあることを含むか、或いは、単に第１の特徴の水平高さが第２の特徴より高いことだけを表す。第１の特徴が第２の特徴の「下」、「下方」又は「下面」にあることは、第１の特徴が第２の特徴の真下及び斜め下にあることを含むか、或いは、単に第１の特徴の水平高さが第２の特徴より低いことだけを表す。
【００４６】
本実用新案の説明において、「一つの実施例」、「一部の実施例」、「例」、「具体的な例」、或いは「一部の例」などの用語を参考した説明とは、該実施例或いは例に合わせて説明された具体的な特徴、構成、材料或いは特別な点が、本実用新案の少なくとも一つの実施例或いは例に含まれることを意味する。本明細書において、上記用語に対する例示的な説明は、必ずしも同じ実施例或いは例を示すことではない。また、説明された具体的な特徴、構成、材料或いは特別な点は、いずれか一つ或いは複数の実施例又は例において適切な方式で結合することができる。
【００４７】
以上、本実用新案の実施例を示して説明したが、上記実施例は例示的なものであり、本実用新案を限定するものであると理解してはいけない。当業者は、本実用新案の原理及び主旨から逸脱しない限り、本実用新案の範囲内で、上記実施例に対して変更、修正、取り替え及び変形を行うことができる。
【図１】
0003212624.tif 000003
【図２】
0003212624.tif 000004
【図３】
0003212624.tif 000005
【図４】
0003212624.tif 000006
【図５】
0003212624.tif 000007